(57)【特許請求の範囲】
【請求項１】
盛土式既設プラットホームに設置されるホームドアに電力及び制御信号を供給するケーブルを敷設するホームドア用ケーブルの敷設構造であって、
盛土式既設プラットホーム側に埋設された支柱杭に一端側が支持され、線路側に延び、並行に配置された複数の横桁と、
縱壁と底面板を有して断面が略Ｌ字状に形成され、長手方向を有する筐体のケーブルキャビネットを有し、
前記複数の横桁の隣接する横桁間に、前記横桁の高さと略同じ高さの盛土掘削空間が形成され、
前記盛土掘削空間に前記ケーブルキャビネットが、前記縱壁が前記盛土掘削空間の奥行き方向の掘削の土留めを成すように挿入配置され、
前記ケーブルキャビネットの前記盛土掘削空間に挿入配置される位置に対応するケーブル通し穴が、前記横桁に形成され、
前記ケーブルキャビネットに配置される前記電力及び制御信号を供給するケーブルが、前記横桁に形成されたケーブル通し穴を通して、隣接の盛土掘削空間のケーブルキャビネット上に連通する、
ことを特徴とするホームドア用ケーブルの敷設構造。
【請求項２】
請求項１において、
前記ケーブルキャビネットの筐体は、樹脂製であることを特徴とするホームドア用ケーブルの敷設構造。
【請求項３】
請求項１又は２において、
前記ケーブルキャビネットの筐体には、長手方向に少なくとも一つの仕切り板を有し、前記電力を供給するケーブルが前記仕切り板より前記縱壁に近い側に敷設され、前記制御信号を供給するケーブルが、前記仕切り板の反対側に敷設される、
ことを特徴とするホームドア用ケーブルの敷設構造。
【請求項４】
請求項３において、
前記電力を供給するケーブル及び、前記制御信号を供給するケーブルの敷設中には、脱落防止用の留め部材を設置し、ケーブルが敷設された後に、前記ケーブルを固定する抑え金具を前記筐体に有する、
ことを特徴とするホームドア用ケーブルの敷設構造。
【請求項５】
盛土式既設プラットホームに設置されるホームドアに電力及び制御信号を供給するケーブルを敷設するルートに配置されるケーブルキャビネットであって、
縱壁と底面板を有して断面が略Ｌ字状に形成され、長手方向を有する筐体を有し、
盛土式既設プラットホーム側に埋設された支柱杭に一端側が支持され、線路側に延び、並行に配置された隣接する横桁間に形成された前記横桁の高さと略同じ高さの盛土掘削空間内であって、前記横桁に形成されているケーブル通し穴に対応する位置に挿入配置され、前記縱壁が前記盛土掘削空間の奥行き方向の掘削の土留めを成すように構成されている、
ことを特徴とするケーブルキャビネット。
【請求項６】
請求項５において、
前記ケーブルキャビネットの筐体は、樹脂製であることを特徴とするケーブルキャビネット。
【請求項７】
請求項５又は６において、
前記ケーブルキャビネットの筐体の長手方向に少なくとも一つの仕切り板を有し、前記電力を供給するケーブルが前記仕切り板より前記縱壁に近い側に敷設され、前記制御信号を供給するケーブルが、前記仕切り板の反対側に敷設される、
ことを特徴とするケーブルキャビネット。
【請求項８】
請求項５又は６において、
前記ケーブルキャビネットの筐体は、前記縱壁と反対側の前記底面板の端辺が前記縱壁の高さより小さい立ち上がり部を有する、
ことを特徴とするケーブルキャビネット。
【請求項９】
請求項８において、
前記立ち上がり部は、前記底面板の端辺にはめ込み構造により取り外し可能に構成されている、
ことを特徴とするケーブルキャビネット。
【請求項１０】
請求項８において、
前記立ち上がり部は、少なくとも１個所の高さが、他の高さより小さくなるように切り欠き状に形成されている、
ことを特徴とするケーブルキャビネット。
【発明の詳細な説明】
【技術分野】
【０００１】
本発明は、ホームドア用ケーブルの敷設構造、及びこれに使用するホームドア用ケーブルキャビネットに関する。
【背景技術】
【０００２】
盛土式の既設の鉄道プラットホーム（以下単に盛土式ホームという）に安全柵のホームドアを取り付けることが普及しつつある。
【０００３】
安全柵のホームドアは、電車の到着及び発車に対応して開閉制御される。したがって、既設の鉄道プラットホームに安全柵のホームドアを取り付ける際は、ホームドアの開閉を制御するために、電力線及び信号線を接続することが必要である。
【０００４】
すなわち、既設の盛土式ホームにホームドアを設置する場合、桁式構造に変更して、ホームドアの制御部が設置されるプレキャストコンクリート板（ＰＣ板）の下側に電力線及び信号線用のケーブルルートを確保することが必要である。
【０００５】
そのために、これまで検討されてきたケーブルルートを確保する構造は、ホーム下の盛土を掘削してホーム横桁間のホーム側背面に鋼製の土留め板を留置して、ケーブル空間を確保するものである。さらに、このケーブル空間に、ケーブルを保持するラックを取り付ける構造である。
【０００６】
図１は、かかる検討されてきたケーブル空間を確保するホームドア用ケーブルの敷設構造を説明する斜視図である。図１において、右側が線路側、左側がホーム側である。線路に沿う方向において、ホームドアを中心に両側方向を省略して示している。
盛り土１００は、線路側では複数のブロックで構成される擁壁４０で保護されている。なお、図１では、連続する擁壁４０の途中には待避口４０ａを示している。
【０００７】
ホーム側に支柱杭として例えば、鋼管杭５を敷設し、その鋼管杭５に一端側が支持される横桁１を所定の間隔に並列新設する。さらに、並行する横桁１上にＰＣ板（スラブ板）２を設置する。図１では、スラブ板２として，穴あきＰＣ板を使用している。このスラブ板２に先端タイル３を介してホームドア２０のホーム扉２２の開閉を制御する制御部２１が載置される。先端タイル３の周囲には、化粧板６が敷設される。化粧板６の後方側は、ホーム側平面に続いている。
【０００８】
ついで、スラブ板２の下側に掘削によりケーブル空間３１が設けられる。掘削のホーム側は、鋼板４により土留めが行われる。ケーブル空間３１に砂利等の敷材３０ａの上に同様に鋼製のケーブルラック３０を形成する。そしてケーブルラック３０上に電力用及び制御信号用ケーブル３２を横桁１の下側を走るように収容する。
【０００９】
図２Ａ，図２Ｂは、ケーブル空間３１の形成を説明する詳細図である。図２Ａは、図１におけるＡ−Ａ線に沿う横桁１部分の断面図であり、図２Ｂは、図１における並行する横桁１間の中間位置のＢ−Ｂ線に沿う断面図である。
【００１０】
図２Ａにおいて、横桁１は一端が鋼管杭５に支持される共に、他端が、アンカーボルト１７で土台に固定されている弾性ゴム状の沓座１８上に載せられている。また、ボルト１６によりＰＣ板２は横桁１に固定されている。なお、部材１９は、横桁１と土台との間隔調整を行い、盛土側にケーブルを通す空間を確保するものである。
さらに、鋼製によるケーブルラック３０を形成し、その上に載置されたケーブル３２は、横桁１の下側を通して、隣接する横桁１の区間に繋がっている。
【先行技術文献】
【特許文献】
【００１１】
【特許文献１】特開２００７−３００７４２号公報
【特許文献２】特開２００８−２８３７７８号公報
【特許文献３】特開２００８−２８３７７９号公報
【発明の概要】
【発明が解決しようとする課題】
【００１２】
上記に説明したこれまで検討されてきたホームドア用ケーブルの敷設構造においては、ケーブル３２を横桁１の下側に通す必要がある。さらに、ケーブル３２を載置するケーブルラック３０を形成することが必要である。したがって、掘削の高さは横桁１の高さ以上が必要であり、必然的に掘削土量が多くなる。
【００１３】
また、図２Ａ，図２Ｂに示すように土留め用の鋼板４を穴あきＰＣ板２と横桁１に固定することが必要である。さらに、ホーム側の固定は掘削空間の奥側で行うことが必要であり、鋼板４の設置の現状は、作業手順から２段土留となっており、固定に多くの労力を必要としている。また、鋼製のケーブルラック３０の設置も必要となってくるため、多くの費用と工期を必要としている。
【００１４】
このため、かかる従来の検討されてきたホームドア用ケーブルの敷設構造に鑑みて、更に、既設プラットホームにおける工事は、電車の運行されない夜間の短い時間に行うことが必要であることに鑑みて、工事を短時間で行えるように掘削土量の削減及びケーブルラックの要らない構造への変更の実現が望まれる。
【００１５】
したがって、上記の点に鑑みて本発明の目的は、掘削土量の削減及びケーブルラック３０Ａを不要とする構造を実現するホームドア用ケーブルの敷設構造、及びこれに使用するホームドア用ケーブルキャビネットを提供することにある。
【課題を解決するための手段】
【００１６】
上記本発明の課題を解決する第１の形態は、盛土式既設プラットホームに設置されるホームドアに電力及び制御信号を供給するケーブルを敷設するホームドア用ケーブルの敷設構造であって、盛土式既設プラットホーム側に埋設された支柱杭に一端側が支持され、線路側に延び、並行に配置された複数の横桁と、縱壁と底面板を有して断面が略Ｌ字状に形成され、長手方向を有する筐体のケーブルキャビネットを有し、前記複数の横桁の隣接する横桁間に、前記横桁の高さと略同じ高さの盛土掘削空間が形成され、前記盛土掘削空間に前記ケーブルキャビネットが、前記縱壁が前記盛土掘削空間の奥行き方向の掘削の土留めを成すように挿入配置され、前記ケーブルキャビネットの前記盛土掘削空間に挿入配置される位置に対応するケーブル通し穴が、前記横桁に形成され、前記ケーブルキャビネットに配置される前記電力及び制御信号を供給するケーブルが、前記横桁に形成されたケーブル通し穴を通して、隣接の盛土掘削空間のケーブルキャビネット上に連通することを特徴とする。
【００１７】
上記本発明の課題を解決する第１の形態における第１の態様として、前記ケーブルキャビネットの筐体は、樹脂製であることを特徴とする。
【００１８】
上記本発明の課題を解決する第１の形態又はその第１の態様において、第２の態様として、前記ケーブルキャビネットの筐体には、長手方向に少なくとも一つの仕切り板を有し、前記電力を供給するケーブルが前記仕切り板より前記縱壁に近い側に敷設され、前記制御信号を供給するケーブルが、前記仕切り板の反対側に敷設されることを特徴とする。
【００１９】
上記本発明の課題を解決する第１の形態における第２の態様において、第３の態様として、前記電力を供給するケーブル及び、前記制御信号を供給するケーブルの敷設中には、脱落防止用の留め部材を設置し、ケーブルが敷設された後に、前記ケーブルを固定する抑え金具を前記筐体に有することを特徴とする。
【００２０】
上記本発明の課題を解決する第２の形態は、盛土式既設プラットホームに設置されるホームドアに電力及び制御信号を供給するケーブルを敷設するルートに配置されるケーブルキャビネットであって、縱壁と底面板を有して断面が略Ｌ字状に形成され、長手方向を有する筐体を有し、盛土式既設プラットホーム側に埋設された支柱杭に一端側が支持され、線路側に延び、並行に配置された隣接する横桁間に形成された前記横桁の高さと略同じ高さの盛土掘削空間内であって、前記横桁に形成されているケーブル通し穴に対応する位置に挿入配置され、前記縱壁が前記盛土掘削空間の奥行き方向の掘削の土留めを成すように構成されていることを特徴とする。
【００２１】
上記本発明の課題を解決する第２の形態における第１の態様として、前記ケーブルキャビネットの筐体は、樹脂製であることを特徴とする。
【００２２】
上記本発明の課題を解決する第２の形態、又はその第１の態様において、第２の形態として、前記ケーブルキャビネットの筐体の長手方向に少なくとも一つの仕切り板を有し、前記電力を供給するケーブルが前記仕切り板より前記縱壁に近い側に敷設され、前記制御信号を供給するケーブルが、前記仕切り板の反対側に敷設されることを特徴とする。
【００２３】
上記本発明の課題を解決する第２の形態、又はその第２の態様において、第３の形態として、前記ケーブルキャビネットの筐体は、前記縱壁と反対側の前記底面板の端辺が前記縱壁の高さより小さい立ち上がり部を有することを特徴とする。
【００２４】
上記本発明の課題を解決する第２の形態の第３の態様において、第４の形態として、前記立ち上がり部は、前記底面板の端辺にはめ込み構造により取り外し可能に構成されていることを特徴とする。
【００２５】
上記本発明の課題を解決する第２の形態の第３の態様において、第５の形態として、前記立ち上がり部は、少なくとも１個所の高さが、他の高さより小さくなるように切り欠き状に形成されていることを特徴とする。
【図面の簡単な説明】
【００２６】
【図１】検討されてきたこれまでのホームドア用ケーブルの敷設構造を説明する模式図である。
【図２Ａ】図１における横桁１部分の断面模式図である。
【図２Ｂ】図１における並行する横桁１間の中間位置の断面模式図である。
【図３】本発明に従うホームドア用ケーブルの敷設構造を説明する模式図である。
【図４Ａ】図３における横桁部分の断面模式図である。
【図４Ｂ】図３における横桁間の中間位置の断面模式図である。
【図５】図４Ａに示した横桁位置での断面を再掲して示す模式図である。
【図６Ａ】図５のＸ−Ｘ線に沿う断面図である。
【図６Ｂ】図５のＹ−Ｙ線に沿う断面図である。
【図６Ｃ】図５をホームドアの上方向から視た平面図である。
【図７Ａ】本発明に従うホームドア用ケーブルの敷設構造に使用されるホームドア用ケーブルキャビネットの実施例断面図である。
【図７Ｂ】ケーブルキャビネットに載置される電力用及び制御信号用ケーブルの固定を説明する図である。
【図８】ケーブルキャビネットの斜視図である。
【図９Ａ】図７Ａに対応して示される立ち上がり部を、底面板に着脱可能な嵌め込み構造にした実施例である。
【図９Ｂ】図９Ａにおけるケーブルキャビネットに載置される電力用及び制御信号用ケーブルの固定を説明する図である。
【図１０】図７Ａに対応して示される立ち上がり部に切り欠き部を設けた実施例である。
【発明を実施するための形態】
【００２７】
以下図面に従い、本発明の実施例を説明する。図面は、本発明の理解のためのものであり、本発明の保護の範囲は、かかる図示された実施例に限定されず、特許請求の範囲の記載及びその均等物に及ぶ。
【００２８】
図３は、本発明に従うホームドア用ケーブルの敷設構造を説明する実施例模式図である。図３において、右側が線路側、左側がホーム側である。
【００２９】
図１に示した敷設構造と同様に、支柱杭としての鋼管杭５に一端が支持された横桁１が、並行に複数敷設される。横桁１は、Ｈ鋼が用いられ、ホーム先端側にケーブル通し穴７が形成されている。
【００３０】
図４Ａ，図４Ｂは、かかる本発明に従うホームドア用ケーブルの敷設構造の特徴をより詳細に説明する断面図であり、図４Ａは、図３のＡ−Ａ線に沿う横桁１部分の断面模式図であり、図４Ｂは、図３のＢ−Ｂ線に沿う並行する横桁１間の中間位置の断面模式図である。
【００３１】
図４Ａにおいて、横桁１はＨ鋼で形成され、一端側がホーム側に敷設された鋼管杭５に支持され、線路側に延び先端側が土台にアンカーボルト１７で固定されているシュー座１８上に載せられている。さらに、横桁１はＰＣ板２にボルト１６により固定される。
【００３２】
スラブ板２の下面側に、横桁１の高さと略同じ高さに盛土が掘削され、この掘削領域に、縱壁１１と底面板１２を有し、電力用及び制御信号用ケーブルが載置されるケーブルキャビネット１０が挿入され、縱壁１１で掘削の土留めを行う。
【００３３】
さらに、挿入されるケーブルキャビネット１０の位置に対応して、横桁１にケーブル通し穴７が設けられている。
【００３４】
図４Ｂにおいて、スラブ板２にボルト２３によりホームドア２０の制御部２１が固定される。
スラブ板２の下面の掘削領域に挿入されたるケーブルキャビネット１０は、底面板１２が、アンカーボルト１７により土台に固定されている。
【００３５】
かかる構造により、図１の構造と比較して、掘削高さが横桁１の高さ相当に小さくなるので、掘削土量を削減することができる。
【００３６】
図５は、図４Ａに示した横桁１の位置での断面を再掲して示す模式図である。図５の左下側に丸で囲んだ領域の拡大図を示している。
【００３７】
線路側Ａからホーム側奥行き方向Ｂに向かって、横桁１の高さ相当の高さでＰＣ板２の下側の盛土が掘削される。次いで、ホームドア用ケーブルキャビネット１０をその縱壁１１が奥側になるように挿入して、縱壁１１で掘削壁の土留めを行う。
【００３８】
さらに、ホームドア用ケーブルキャビネット１０で土留めが行われると、横桁１のケーブル通し穴７を通し、横桁１間に跨がって電力用及び制御信号用ケーブル３２を隣接するホームドア用ケーブルキャビネット１０の底面板１２上に配置することができる。図示する実施例では、２つの丸穴７を設けている。
【００３９】
図５において、底面板１２に配置される電力用及び制御信号用ケーブル３２は、セパレータ１３により電力用ケーブルと制御信号用ケーブルに分けて配置され、ネジ１４ａによりネジ止めされる抑え金具１４により固定保持される。
さらに、後に詳細を説明するように、セパレータ１３は、所定高さで、ケーブルキャビネット１０の長さに沿う板部材であり、受け部材１３ａの溝部１３ｂに挿入固定される。
【００４０】
図６Ａは、図５のＸ−Ｘ線に沿う断面図、図６Ｂは、Ｙ−Ｙ線に沿う断面図を示す。さらに図６Ｃは、図６Ａをホームドア２０の上方向から視た平面概略図である。なお、図６Ｃでは、上方側が線路側、下方側がホーム側に対応し、ホームドア２０は図示省略している。
【００４１】
図６Ａは、横桁１の手前側にホームドア用ケーブルキャビネット１０が配置された状態を示している。さらに、並行する横桁１上にＰＣ板（スラブ板）２を設置し、このスラブ板２に先端タイル３を介してホームドア２０の制御部２１が載置される。なお、本実施例では、穴あきを有しないＰＣ板２を使用している。
ホームドア２０の制御部２１は、ホーム扉２２を開閉制御し、開扉時にホーム扉２２を収納する。制御部２１は、スラブ板２と先端タイル３を介して横桁１に支持されるＰＣ板２に複数個所でボルト２３により固定される。さらに、制御部２１は、ＰＣ板２の開口２４を通して、電力用ケーブル及び制御信号用ケーブル３２を導入して接続する。
【００４２】
図６Ｂにおいて、ＰＣ板２は、ホーム側において横桁１により支持されている。さらに、図６Ｃに示す様にＰＣ板２は複数の領域に分割区分けして形成されている。
【００４３】
図７Ａは、本発明に従うホームドア用ケーブルの敷設構造に使用されるホームドア用ケーブルキャビネット１０の実施例断面図である。
【００４４】
縱壁１１と底面板１２を有して断面が略Ｌ字状に形成され、長手方向を有する筐体を有する。さらに、底面板１２は、縱壁１１と反対側の端辺に沿って、立ち上がり部１５を有する。この立ち上がり部１５により、底面板１２に載置される電力用及び制御信号用ケーブル３２の脱落を防ぐことができる。
また、底面板１２には、セパレータ１３が挿入される溝部１３ｂを有する受け部材１３ａを備えている。
【００４５】
図７Ｂは、ケーブルキャビネット１０に載置される電力用及び制御信号用ケーブル３２の固定を説明する図である。底面板１２に設けたセパレータ１３により、電力用及び制御信号用ケーブル３２が長手方向（紙面垂直方向）に沿って配置された後、抑え金具１４によって、電力用及び制御信号用ケーブル３２が固定される。
【００４６】
この際、電力用ケーブルはセパレータ１３より縱壁１１側に、電力用ケーブルよりも修正機会の多い制御信号用ケーブルはセパレータ１３より縱壁１１と反対側に配置されることがメンテナンスの点から望ましい。
【００４７】
図８は、ケーブルキャビネット１０の斜視図であって、縱壁１１及び底面板１２を有する断面Ｌ型で、長手方向を有する。このケーブルキャビネット１０に、セパレータ受け部材１３ａに保持されるセパレータ１３によって分離される電力用及び制御信号用ケーブル３２が長手方向に沿って配置される。さらに電力用及び制御信号用ケーブル３２は、複数個所に、ネジ止めされる抑え金具１４により固定される。
【００４８】
ここで、上記したケーブルキャビネット１０は、鋼製、あるいはコンクリート製であってもよいが、敷設工事における運搬及び敷設の容易さから、軽量である樹脂製であることが望ましい。
【００４９】
図９Ａ，図９Ｂは、それぞれ図７Ａ，図７Ｂに対応するホームドア用ケーブルキャビネット１０の別の実施例断面図である。この実施例では、縱壁１１と反対側の立ち上がり部１５（図７Ａ参照）を有さず、電力用及び制御信号用ケーブル３２の敷設及びメンテナンスを容易とする構造である。
【００５０】
すなわち、図７Ａ，図７Ｂにおいて、立ち上がり部１５は、敷設されるケーブルの脱落を防止するものであるが、ケーブルの敷設の際は、この立ち上がり部１５を乗り越えさせる作業が必要である。また、メンテナンスの際は、ＰＣ板（スラブ板）２と立ち上がり部１５の端部間に手を挿入して作業をする際の空間を確保することが必要である。
【００５１】
したがって、図７Ａ，図７Ｂに対応して示される図９Ａ，図９Ｂに示す実施例の場合は、立ち上がり部１５を、底面板１２に着脱可能な嵌め込み構造の留部材１５Ａにし、ケーブル敷設後に取り付け可能にする実施例である。これにより、作業の際は、留部材１５Ａを底面部１２から外して作業が可能であるので、ケーブルの敷設時及びメンテナンスの作業が容易である。留部材１５Ａを底面部１２に嵌め込むことにより敷設されるケーブルの脱落を防止できる。
【００５２】
図１０は、立ち上がり部１５について、更に別の実施例である。図１０に示す例では、立ち上がり部１５にその長さ方向に沿って、所定間隔で少なくとも一つの切り欠き部１５０を設けた例である。
【００５３】
このように切り欠き部１５０を設けることにより、この部分では立ち上がり部１５を有しなくなり、切り欠き部１５０を通して、作業手を挿入することができる。したがって、メンテナンス作業も容易にすることができる。
【００５４】
上記した様に、本発明に従うＬ型のホームドア用ケーブルキャビネット（ケーブルトラフ）１０を使用することにより、掘削の土留めと電力用及び制御信号用ケーブル３２の載置の機能を同時に行うことができる。
【００５５】
さらに、ケーブルキャビネット１０と対応する位置の横桁１の部分にケーブル通し穴を設けることにより、隣接する横桁１に容易にケーブルを連接することが可能である。これにより、従来工法におけるケーブルラック３０Ａを不要とすることができる。
【００５６】
また、ホームドア用ケーブルキャビネット（ケーブルトラフ）１０を樹脂製とすることにより、従来の重い鋼材の土留材４の使用を、軽量の樹脂製のケーブルキャビネット１０に置き換えて土留めを行うことができる。
【００５７】
上記をまとめると、掘削土量の軽減、土留鋼材とケ−ブルラックを一体のケーブルキャビネットで実現できるので、施工性が向上し、工期の短縮に寄与することが可能である。
【符号の説明】
【００５８】
１  横桁
２  プレキャストコンクリート板（ＰＣ板）
３  先端タイル
４  土留め用鋼板
５  鋼管杭
６  化粧板  
７  ケーブル通し穴
１０  ホームドア用ケーブルキャビネット（ケーブルトラフ）
１１  ケーブルトラフの縱壁
１２  ケーブルトラフの底面板
１３  仕切り板（セパレータ）
１３ａ  セパレータ受け部材
１３ｂ  セパレータ挿入溝
１４  抑え金具
１４ａ  ネジ
１５  立ち上がり部
１５Ａ  留部材
１６  ボルト  
１７  アンカーボルト
１８  沓座
２０  ホームドア２１  制御部
２２  ホーム扉
２３  ボルト
２４  ＰＣ板の開口
３０  ケーブルラック
３０ａ 砂利等の敷材
３１ ケーブル空間
３２ 電力用及び制御信号用ケーブル
４０  擁壁
４０ａ  退避口
【要約】
【課題】掘削土量の削減及びケーブルラック３０Ａを不要とする構造を実現するホームドア用ケーブルの敷設構造、及びこれに使用するホームドア用ケーブルキャビネットを提供する。
【解決手段】盛土式既設プラットホームに設置されるホームドアに電力及び制御信号を供給するケーブルを敷設するホームドア用ケーブルの敷設構造であって、盛土式既設プラットホーム側に埋設された支柱杭に一端側が支持され、線路側に延び、並行に配置された複数の横杭と、
縱壁と底面板を有して断面が略Ｌ字状に形成され、長手方向を有する筐体のケーブルキャビネットを有し、前記複数の横杭の隣接する横杭間に、前記横杭の高さと略同じ高さの盛土掘削空間が形成され、前記盛土掘削空間に前記ケーブルキャビネットが、前記縱壁が前記盛土掘削空間の奥行き方向の掘削の土留めを成すように挿入配置され、前記ケーブルキャビネットの前記掘削空間に挿入配置される位置に対応するケーブル通し穴が、前記横桁に形成され、前記ケーブルキャビネットに配置される前記電力及び制御信号を供給するケーブルが、前記横桁に形成されたケーブル通し穴を通して、隣接の盛土掘削空間のケーブルキャビネット上に連通する。
【選択図】図３【図５】
0005848483.tif 000002
【図６Ｂ】
0005848483.tif 000003
【図６Ｃ】
0005848483.tif 000004
【図７Ａ】
0005848483.tif 000005
【図７Ｂ】
0005848483.tif 000006
【図８】
0005848483.tif 000007
【図９Ａ】
0005848483.tif 000008
【図９Ｂ】
0005848483.tif 000009
【図１０】
0005848483.tif 000010
【図１】
0005848483.tif 000011
【図２Ａ】
0005848483.tif 000012
【図２Ｂ】
0005848483.tif 000013
【図３】
0005848483.tif 000014
【図４Ａ】
0005848483.tif 000015
【図４Ｂ】
0005848483.tif 000016
【図６Ａ】
0005848483.tif 000017